(57)【要約】【課題】騒音の漏洩を十分に防止するとともに、粉塵の飛散をも有効に防ぐことができる防音パネル付仮設足場を提供すること。【解決手段】仮設足場に遮音材が取り付けられた遮音材付仮設足場において、防振材を介して仮設足場に取り付けられている遮音材は、防音性板材、防音性シート、万能鋼板のいずれかまたはそれらの組み合わせからなり、仮設足場の外面および内面に２重に取り付けられ、内面に取り付けられた遮音材には、建物と連通する開閉可能な出入り口が形成されていることを特徴とする遮音材付仮設足場とした。内外２重の遮音材の各裏面および足場上端に位置する足場板上面に吸音材を取り付けることも可能である。【選択図】図２
2014077315.tif 000002
【特許請求の範囲】
【請求項１】
仮設足場に遮音材が取り付けられた遮音材付仮設足場において、
前記遮音材は、防音性板材、防音性シート、万能鋼板のいずれかまたはそれらの組み合わせからなり、前記仮設足場の外面および内面に２重に取り付けられていることを特徴とする遮音材付仮設足場。
【請求項２】
前記仮設足場の内面に取り付けられた遮音材には、建物と連通する開閉可能な出入り口が形成されていることを特徴とする請求項１に記載された遮音材付仮設足場。
【請求項３】
前記遮音材は、防振材を介して前記仮設足場に取り付けられていることを特徴とする請求項１乃至請求項２のいずれかに記載された遮音材付仮設足場。
【請求項４】
前記２重の遮音材の各裏面および足場上端に位置する足場板上面には、グラスウールやロックウール等からなる吸音材が取り付けられていることを特徴とする請求項１乃至請求項３のいずれかに記載された遮音材付仮設足場。
【請求項５】
前記遮音材付仮設足場上端には、少なくとも１台の吸気ブロワーが配設されているとともに、内面に位置する遮音材には除塵用フィルターが貼着された通気用開口部が形成されていることを特徴とする請求項１乃至請求項４のいずれかに記載された遮音材付仮設足場。
【発明の詳細な説明】
【技術分野】
【０００１】
本発明は、特に都市部における各種建築工事あるいは解体工事に伴って発生する騒音が外部に漏れるのを抑止する遮音材付仮設足場に関する。
【背景技術】
【０００２】
従来、例えば、都市部における工事現場では、地盤の掘削工事の騒音や、建物の構築あるいは解体に伴う騒音等が、直接的に周囲に漏れて騒音公害とならないように図６に示すように、仮設足場１０１の外周に防音パネル１０２が装着されたものが知られている。
【０００３】
この防音パネル１０２は、騒音公害を防止するものであるので、仮設足場の外周全体を被覆することになり、例えば、台風時の場合、強風により強い風圧力が防音パネルに加わり、足場１０１の破壊等の被害を被ることがある。
このため、その風の影響を避けるようにすることを課題として、仮設足場１０１の外周部に取り付けられる防音パネル１０２が、該パネル１０２の一端部を軸にして外側に略水平に傾倒するように前記仮設足場１０１に開閉自在に取り付け、防音パネル１０２を開閉させる開閉装置１０５は、仮設足場１０１に取り付けられた上下方向における最上段の防音パネル１０２から最下段の防音パネル１０２に連通された索条１０３と、該索条を巻き上げる巻上げ装置１０４とから構成された、図７に示される改良された防音パネル付仮設足場１００が提案された。（特許文献１参照。）
【０００４】
これによれば、防音パネル付仮設足場は、仮設足場の外周部に取り付けられる防音パネルが、該パネルの一端部を軸にして外側に略水平に傾倒するように前記仮設足場のパイプに開閉自在に取り付けられているので、強風時には、巻上げ装置にて索条を巻き上げて防音パネルを略水平にすることで風圧の影響を解消させることができる、という作用効果を期待することができる。
【０００５】
しかしながら、図６および図７に示された従来の防音パネル付仮設足場はいずれも、防音パネルが仮設足場の外周に一層のみ装着されたものであるから、防音性能が十分ではなく、特に建物が密集する都市部においては、騒音の漏洩が深刻となる、という課題を有している。
特に後者の防音パネル付仮設足場は、防音パネルを開閉自在に取り付ける複雑な構成を採用している関係から、防音パネル同士の密閉度が低下して騒音の漏洩を十分に防止し得ない。
【０００６】
さらには、建築あるいは解体対象が高層のビルとなると、粉塵の飛散の範囲も広域となって粉塵の飛散対策も厳密さが一層要求されることとなる。
【先行技術文献】
【特許文献】
【０００７】
【特許文献１】特開２００４−１９７４４１号公報
【発明の概要】
【発明が解決しようとする課題】
【０００８】
本発明は、上述した種々の課題を解決するために創作されたもので、騒音の漏洩を十分に防止するとともに、粉塵の飛散をも有効に防ぐことができる遮音材付仮設足場を提供することを目的としている。
【課題を解決するための手段】
【０００９】
請求項１に係る発明は、仮設足場に遮音材が取り付けられた遮音材付仮設足場において、前記遮音材は、防音性板材、防音性シート、万能鋼板のいずれかまたはそれらの組み合わせからなり、前記仮設足場の外周面および内周面に２重に取り付けられた構造とした。
【００１０】
請求項２に係る発明は、前記仮設足場の内周面に取り付けられた遮音材には、建物と連通する開閉可能な出入り口が形成されていることを特徴としている。
【００１１】
請求項３に係る発明は、前記遮音材は、防振材を介して前記仮設足場に取り付けられていることを特徴としている。
【００１２】
請求項４に係る発明は、前記２重の遮音材の各裏面および足場上端に位置する足場板上面には、グラスウールやロックウール等からなる吸音材が取り付けられていることを特徴としている。
【００１３】
請求項５に係る発明は、前記遮音材付仮設足場頂部には、少なくとも１台の吸気ブロワーが配設されているとともに、内周面に位置する遮音材には除塵用フィルターが貼着された通気用開口部が形成されていることを特徴としている。
【００１４】
請求項１に係る発明によれば、遮音材を仮設足場の内外周面に取り付けた２重構造とされているので、仮設足場の機能低下を極力抑えつつ、極めて簡単な構成で遮音性能を高め、建設工事あるいは解体工事に伴う騒音の漏洩を十分に防止することができる。
【００１５】
請求項２に係る発明によれば、遮音材には建物と連通する開閉可能な出入り口が形成されていることから、遮音性能を低下させることなく、建物内部と仮設足場との往来を自由にすることによって作業効率を向上することができる。
【００１６】
請求項３に係る発明によれば、遮音材を防振材を介して仮設足場に取り付けているので、遮音材の振動を仮設足場に伝達しにくくして外部への騒音伝播を低減することができ、また、仮設足場が特定帯域の周波数において共振することを防止して、仮設足場の安定的な自立を確保することができる。
【００１７】
請求項４に係る発明によれば、遮音材の裏面に吸音材を取り付けることによって、内周側遮音材から空気層へ透過してきた音を吸音材にて吸音することで、より遮音性能を高めることができる。また、足場の上端の上面に吸音材を取り付けているので、上端からの回折音を吸音して外部への騒音伝搬を効果的に低減することができる。
【００１８】
請求項５に係る発明によれば、建設等工事に伴う騒音の漏洩を十分に防止するとともに、同時に発生する粉塵の飛散をも有効に防ぐことができる。
【図面の簡単な説明】
【００１９】
【図１】本発明の遮音材付仮設足場の実施例を示す側面図である。
【図２】本発明の遮音材付仮設足場の他の実施例を示す側面図である。
【図３】本発明の通常の遮音材の正面図である。上に該遮音材を平面視した図面を、右に同遮音材を側面視した図面を付加して示している。
【図４】本発明の開閉可能な出入り口を構成する遮音材の正面図である。上に該遮音材を平面視した図面を、右に同遮音材を側面視した図面を付加して示している。
【図５】遮音材を仮設足場の両面と片面に設置した場合の実験室における音響透過損失の測定結果を示す図である。
【図６】従来発明の遮音材付仮設足場を示す側面図である。
【図７】改良された従来発明の遮音材付仮設足場を示す側面図である。
【実施例１】
【００２０】
この実施例は、仮設足場の内周面と外周面の両面に遮音材を取り付ける構造である。
図１を参照して、遮音材付仮設足場の構成例について説明する。
この足場は、複数の枠組足場１１．１１・・・を組み上げて仮設足場１を構成している。
この仮設足場１は通常、工事現場、例えば建設するか解体する建物の周囲の全体を囲繞するように組み上げられている。
【００２１】
したがって、仮設足場１は組み上げられて建物の周囲を全面的に覆うが、資材や解体物を搬出入するための開口を設けるため、一部に仮設足場が構築されていない箇所が設けられる場合がある。
本発明の遮音材付仮設足場１は、その構築されている仮設足場の内面と外面の両面に、遮音材２が支持部材３にて取り付けられている。
１２は足場板である。図１をみて判るように、足場板１２長辺縁と遮音材２との間には大きな間隙が形成されているので、遮音材付仮設足場上端からの騒音の漏洩を防止するためには、その間隙を閉鎖する間隙閉鎖部材を設けることが好ましい。
【００２２】
遮音材は、アルミ樹脂積層複合材やポリカーボネートのような防音性板材、ポリエステル繊維・ポリオレフィン製の防音性シート、万能鋼板のいずれか１種類のみから構成して、仮設足場の構築作業を単一化、効率化することが好ましいが、設置場所の特性に応じて種類を選択していくつかの種類を組み合わせて構築してもよい。
【００２３】
遮音材２は、図３に示されるように、防音性板材、防音性シートまたは万能鋼板２１とこれらの４周を囲繞して取り付けられた枠材２２とから構成されている。この遮音材２は、養生クランプ等の支持部材３を用いて仮設足場１の外周面のみならず、内周面にも取り付けられている。
【００２４】
この実施例は、遮音材２が仮設足場１の外面および内面に２重に取り付けられていることを特徴としている。
このことは、この内外遮音材付仮設足場１に取り囲まれた建物との連絡が取れない結果を招来し、足場としての機能をほとんど喪失することとなる。
【００２５】
これを回避するため、本実施例は図４に示すように、足場内面に配設された遮音材２に建物と連通する開閉可能な出入り口５を形成している。
出入り口５には、引き戸式の扉５１が枠部材５２を開口枠として開閉自在に嵌められている。左側の扉５１は嵌め殺し、右側の扉５１が摺動自在とされ、内外面に取手５３が取り付けられている。
なお、この開口枠は、扉５１閉鎖時に開口枠に密着するようパッキン等にて気密加工が施されている。
【００２６】
遮音材２を仮設足場１に取り付けるにあたっては、両者の間に図示を省略する防振材を介装させて、仮設足場内周面に取り付けられた遮音材の振動が仮設足場に伝播すること、加えて仮設足場の振動が外周面に取り付けた遮音材に伝播することを極力低減して、外部への騒音伝播を抑止することが有効である。
防振材としては、例えば防振ゴム等の弾性体を、上記した養生クランプと仮設足場のパイプとの間、または、養生クランプと遮音材との間に挟み込めばよい。
【００２７】
図５に、遮音材を足場の両面と片面に設置した場合の周波数別音響透過損失を示す。
この図をみて明らかなように、約１００〜２５００Ｈｚ帯域の全ての周波数において、足場の両面に設置したときの音響透過損失が、片面に設置したときのそれの２倍前後の大きさを表している。
一方、遮音に関する質量則から考えると、遮音材の面材の厚さを２倍、すなわち質量を２倍にしても音響透過損失は６ｄＢしか大きくならない。
これらのことは、本発明の遮音性能の高さを示しており、遮音材を仮設足場の内外周面に設置することの技術的意義が大きいことを示すものといえる。
なお、この実験は、単純に遮音材を両面と片面に設置したものについて行ったもので、上記した出入り口、防振材の構成を具備するものについて行ったものではない。
【００２８】
以上の実施例では、仮設足場は枠組足場を組み上げて構築されているが、単管をフックボルトにて組んでもよい。
この構成による遮音材付仮設足場は、図１に示すような仮設足場内方に突出する部材が存在しないので、幅広の通路を確保することができる。
【実施例２】
【００２９】
この実施例は、上記した実施例１の構成に、さらに除塵機構を加えた構成としているところに特徴がある。
これにより、工事現場で発生する騒音の漏洩を十分に防止するのみならず、そこで発生する粉塵の飛散をも有効に防ぐことができる防音パネル付仮設足場を提供することができるものである。
【００３０】
遮音材付仮設足場１上端に設けられている足場板１１には、少なくとも１台、好ましくは水平方向に適宜間隔をおいて複数台の吸気ブロワー（図示省略）が配設されている。
そして、内周側遮音材２には、縦方向と横方向に適宜の間隔を置いて多数の貫通孔が形成され、この貫通孔には足場側から着脱自在のフィルターが貼付されている。
【００３１】
工事中においては、この吸気ブロワーを常時運転して、遮音材付仮設足場１の建物側の塵埃混じりの空気を吸引してフィルターにて塵埃を除去した後、内外の遮音材２にて囲まれた扁平な空間をいわば空気ダクトとして、清浄空気をブロワーから排出するものである。
フィルターは、適宜頻度で定期的に清掃して目詰まりのないよう使用に供し、交換時期に至れば交換するとよい。
【実施例３】
【００３２】
この実施例は、図２に示すように、内外２重の遮音材の各裏面および足場上端に位置する足場板上面に、吸音材４が取り付けられている形態である。
吸音材４としては、グラスウールやロックウールのような吸音性を備えたものが好ましい。
吸音材を取り付けることにより、内周側遮音材から空気層へ透過してきた音を吸音材にて吸音することで、より遮音性能を高めることができる。また、足場の上端の上面に吸音材を取り付けているので、上端からの回折音を吸音して外部への騒音伝搬を効果的に低減することができる。
【００３３】
この実施の態様は、当然に上記した実施例1または実施例２の遮音材付仮設足場に適用することができる。
【図１】
2014077315.tif 000003
【図２】
2014077315.tif 000004
【図３】
2014077315.tif 000005
【図４】
2014077315.tif 000006
【図５】
2014077315.tif 000007
【図６】
2014077315.tif 000008
【図７】
2014077315.tif 000009